(57)【特許請求の範囲】
【請求項１】
固有の製造番号及び付与された識別番号を有する通信端末と、通信路を介して接続され前記製造番号と識別番号とをそれぞれ予め登録した顧客ファイルを備えた親局とからなり、前記通信端末が前記親局にアクセスし、前記親局は受信した前記製造番号と前記顧客ファイルに登録された製造番号とを比較し、これらが一致していれば、通信端末と親局との間の通信を可能とする複合通信装置において、
前記通信端末に書き換え可能な読み出し専用メモリを設け、前記親局には新たな識別番号を発生する番号発生器と、不一致信号を登録する不一致記憶メモリとを設け、前記通信端末から前記親局にアクセスがあると、受信した前記製造番号及び識別番号と前記顧客ファイルに登録された製造番号及び識別番号とを比較し、これらがそれぞれ一致し、かつ不一致記憶メモリに不一致信号がなければ前記通信端末と前記親局との間の通信を可能とするとともに、前記番号発生器から新識別番号を発生して当該通信端末に送り、前記通信端末の専用メモリに登録されている前記識別番号を更新し、かつ前記親局の顧客ファイルに登録されている前記識別番号を更新して当該通信端末と当該親局との間の通信を可能とし、
一方、前記受信した前記製造番号及び識別番号と前記登録された製造番号及び識別番号とがそれぞれ一致していても、前記不一致記憶メモリに不一致信号があれば、当該通信端末と当該親局との間の通信を不可能として交信を終了し、
更に、前記受信した識別番号と顧客ファイルに登録された識別番号とが不一致ならば、通信端末と親局との間の通信を不可能として交信を終了し、かつ前記不一致記憶メモリに不一致信号を登録することを特徴とする複合通信装置。
【発明の詳細な説明】
【０００１】
【発明の属する技術分野】
本発明は、複合通信装置に関し、特に複数の移動電話や通信カラオケ装置等と少数親局の中継局やデータベース局との間でデータ通信を行う装置に関する。
【０００２】
【従来の技術】
従来、通信カラオケ端末や移動電話やＰＨＳ等では、通信カラオケ端末等に製造番号（シリアル番号）を刻印し、かつ内部の読み出し専用メモリのＲＯＭに登録している。
親局の中継局やデータベース局への登録時には、ある１台の通信カラオケ端末等がデータベース局にアクセスすると、データベース局は製造番号を確認し、個別の識別番号（ＩＤ）を通信カラオケ端末等に付与する。
【０００３】
同時に通信カラオケ端末等からその使用者が任意に設定した暗証番号をデータベース局に返信し、登録する。
製造番号と識別番号（ＩＤ）と暗証番号とが、データベース局と１台の通信カラオケ端末等に同時に登録されて、次回の通信では、これらの番号を照合しながら通信を可能にしている。
【０００４】
【発明が解決しようとする課題】
従来の複合通信装置では、正規に登録した１台の通信カラオケ端末等の製造番号と識別番号（ＩＤ）と暗証番号とを、不正に別の通信カラオケ端末等にコピーすると、正規の通信カラオケ端末等と不正の通信カラオケ端末等とが勝手にデータベース局等にアクセスしても通信が可能になり、不正使用を発見できないものであった。
この発明は、通信端末のコピーによる不正使用を皆無にするにすることを目的にしている。
【０００５】
【課題を解決するための手段】
固有の製造番号及び付与された識別番号を有する通信端末と、通信路を介して接続される前記製造番号と識別番号とをそれぞれ予め登録した顧客ファイルを備えた親局とからなり、前記通信端末が前記親局をアクセスし、前記親局受信した前記製造番号と前記顧客ファイルに登録された製造番号とを比較し、これらが一致していれば、受信した識別番号と前記顧客ファイルに登録された識別番号とを比較し、これらが一致していれば、通信端末と親局との間の通信を可能とする複合通信装置に適用する。
通信端末に書き換え可能な読み出し専用メモリを設け、親局には識別番号を発生する番号発生器と、不一致信号を登録する不一致記憶メモリとを設ける。前記通信端末が前記親局をアクセスすると受信した前記製造番号及び識別番号と前記顧客ファイルに登録された製造番号及び識別番号とを比較し、これらがそれぞれ一致し、かつ不一致記憶メモリに不一致信号がなければ前記通信端末と前記親局との間の通信を可能とするとともに、前記番号発生器から新識別番号を発生して当該通信端末に送り、前記通信端末の専用メモリに登録されている前記識別番号を更新し、かつ前記親局の顧客ファイルに登録されている前記識別番号を更新して当該通信端末と当該親局との間の通信を可能とする。
【０００６】
一方、前記受信した前記製造番号及び識別番号と前記登録された製造番号及び識別番号とがそれぞれ一致していても、前記不一致記憶メモリに不一致信号があれば、当該通信端末と当該親局との間の通信を不可能として交信を終了する。
更に、前記受信した識別番号と顧客ファイルに登録された識別番号とが不一致ならば、通信端末と親局との間の通信を不可能として交信を終了し、かつ前記不一致記憶メモリに不一致信号を登録する。前記通信端末の識別番号を第３の通信端末にコピーすると、次回から元の前記通信端末と第３のコピー通信端末ともに使用が不可能になり、不正使用を皆無にできる。
【０００７】
【発明の実施の形態】
実施の形態１．
以下この発明を図面に従って説明する。
図１において、本発明の複合通信装置を、複数の通信カラオケ装置と親局のデータベース局との間の通信装置として説明する。
図１において、データベース局２には、複数のカラオケ制御部１が通信回線１２を介して接続可能となっている。
データベース局２は、顧客ファイル２１と、サービスデータファイル２２とＣＰＵ２３と、乱數発生器２４と加算器２５と通信プログラムＲＯＭ２６とモデム２７とから構成される。
【０００８】
通信プログラムＲＯＭ２６は通信のプロトコルを格納し、通信のプロトコルは端末会員からの受信から認証までの手続きと、新認識番号及びの送付の手続きを行う。
顧客ファイル２１はカラオケ制御部１の購入者に関するファイルであり、その所有者名、その製造番号、登録時の所有者申告による暗証番号、付与された識別番号のＩＤ、使用料金、フラグ欄とを備えている。
フラグ欄は不一致信号を登録する不一致記憶メモリであり、フラグ欄のＦ＝０ならなら不一致信号がなく、サービス提供が可能である。
【０００９】
サービス提供とは、データベース局２とカラオケ制御部１とが通信回線１２を介して通信可能のことであり、Ｆ＝１なら不一致信号が登録され、サービス提供が不可能である。
サービスデータファイル２２はリクエスト番号毎の曲データやゲームデータを記憶し、これらはリクエストに応じて適宜顧客のカラオケ制御部１に送られる。乱數発生器２４は、識別番号を発生する番号発生器であり、乱數発生器２４は例えば４桁の乱数を発生する。
【００１０】
この乱数は識別番号のＩＤとしてアクセスしている相手のカラオケ制御部１に送られ、かつ顧客ファイル２１内に更新して記憶される。
加算器２５はアクセス毎に、識別番号のＩＤに例えば＋１するもので、アクセスしてきた機番の識別番号のＩＤに＋１し、これが、新たな識別番号のＩＤとなり顧客ファイル２１内に更新して記憶される。
【００１１】
モデム２７は通信回線１２を介して多数のカラオケ制御部１に接続するもので、通常は多数のカラオケ制御部１が独立事象で、データベース局２にアクセスしてくる。
次に、図２において、通信カラオケ装置を、家庭用通信カラオケ装置を例にその構成について説明する。
通信カラオケ装置は、カラオケ制御部１とリモートコントローラ１１と、ビデオ表示装置のＣＲＴ１５と、スピーカー１４と、曲の背景映像を発生するレーザープレーヤー２０（ＬＤ）等から構成されている。
【００１２】
リモートコントローラ１は、カラオケ制御部１１に向けて各種の命令を赤外線により発信する。
カラオケ制御部１には、モートコントローラ１１から赤外線を受信する位置にリモコン受光部３が設けられている。
図２において、カラオケ制御部１の電子回路の構成は、リモコン受光部３、プログラムＲＯＭ４、演算装置のＣＰＵ５、メモリのＲＡＭ６、ビデオＲＡＭ７、ビデオデータプロセッサのＶＤＰ８、記憶装置のＨＤ９、フラッシュメモリ９、音声再生部１０、通信モデム１３、音声ＲＡＭ１６から構成される。
【００１３】
通信モデム１３はＮＴＴ等の通信回線１２を介して外部のデータベース局２にアクセスする。
プログラムＲＯＭ４はこのカラオケ制御部１の製造番号とデータベース局２への通信プロトコルを記憶している。
カラオケ制御部１には固有の唯一の製造番号（シリアル番号）が付けられておな、フラッシュメモリ９は書き換え回数が比較的に少ない読み出し専用の書き換え可能なＥＥＰＲＯＭ等である。
フラッシュメモリ９には、指定された識別番号のＩＤと申告した暗証番号のＰＡＳＳＷＡＲＤ等を記憶する。
これら識別番号のＩＤと暗証番号のＰＷ等は所定期間毎にまたは適宜変更され、通信プロトコルのデータとして読み出され、使用される。
【００１４】
次に、複合通信装置の動作を図１、２を参照して図３のフローチャートに従って説明する。
図３のフローチャートにおいて、ある客がカラオケ制御部１から、通信回線１２を介してデータベース局２にアクセスしてスタートする。
図２のリモートコントローラ１１を使用して、カラオケ制御部１にアクセス指令を送る。
ＣＰＵ５はプログラムＲＯＭ４から通信プログラムと製造番号ＳＮを、フラッシュメモリ９から識別番号のＩＤと暗証番号のＰＷをそれぞれ読み出し、データベース局２にコールする。
【００１５】
ステップＳ１では、データベース局２のＣＰＵ２３はコールを受付け、当該カラオケ制御部１と接続し、顧客ファイル２１内にコール元の製造番号例えばＳ０３７が有るかどうかを調べる。コール元の製造番号Ｓ０３７が有るので、ステップＳ２に進み、そこではＣＰＵ２３はこの製造番号対応の暗証番号例えば５９８９３が有るかどうか（初期登録済かを）調べる。コール元の暗証番号５９８９３が有るので、ステップＳ３進み、そこではＣＰＵ２３は顧客ファイル２１内にある製造番号と暗証番号と識別番号ＩＤ：Ｒがコール元から届いた識別番号ＩＤと一致したかどうかを調べる。
【００１６】
コール元の識別番号ＩＤと一致すれば、ステップＳ４進み、そこではＣＰＵ２３はこの製造番号と暗証番号と識別番号ＩＤの対応のフラグがＦ＝０であるかどうかを調べる。
コール元の製造番号対応のフラグがＦ＝０であるので、ステップＳ５に進み、そこではＣＰＵ２３は、カラオケ制御部１に対するサービス提供を許可する。
リクエストされたカラオケやゲームのデータをカラオケ制御部１に送り、料金を計算し、顧客ファイル２１に格納する。
【００１７】
ステップＳ６では、ＣＰＵ２３は乱數発生器２４で発生した乱数Ｒを取り込み、新たな識別番号ＩＤとして、カラオケ制御部１に通知し、顧客ファイル２１内の新たな識別番号ＩＤとして更新記憶する。
一方、ステップＳ１で、仮に製造番号Ｓ０３７が顧客ファイル２１内に無い場合は、コールしているカラオケ制御部１自体が贋物であるので、即通信を遮断して終了する。
【００１８】
また、ステップＳ２で、仮に製造番号Ｓ０３７対応の暗証番号５９８９３が無い場合は、登録処理のステップＳ７進み、そこではＣＰＵ２３は、新規登録のために暗証番号５９８９３等の申告番号の入力を要求し、カラオケ制御部１から受信する。
ステップＳ８では、ＣＰＵ２３は乱數発生器２４で発生した乱数Ｒを取り込み、新規登録の識別番号ＩＤとしてカラオケ制御部１に通知し、受信した暗証番号とともに初期識別番号ＩＤとして顧客ファイル２１記憶し、ステップＳ１に戻り、サービスの処理に進む。
【００１９】
ステップＳ３でこの製造番号Ｓ０３７と暗証番号５９８９３対応の識別番号ＩＤ：Ｒがコール元から届いた識別番号ＩＤと一致しなければ、ステップＳ９進み、そこではＣＰＵ２３、顧客ファイル２１内の（当該製造番号と暗証番号対応）フラグをＦ＝１に設定し、以後もサービスの提供に応じられないようし、通信を終了する。
【００２０】
識別番号ＩＤが一致しないということは、コール元のカラオケ制御部１は暗証番号が有るにもかかわらず、古い識別番号ＩＤを使用しているので、違法なコピー機器である可能性が高い。
正当なカラオケ制御部１であれば、更新された識別番号ＩＤを送信してくるはずである。
【００２１】
ステップＳ４で製造番号と暗証番号と識別番号ＩＤの対応のフラグがＦ＝０でなく、Ｆ＝１であれば、製造番号と暗証番号対応の識別番号ＩＤが記憶されているにもかかわらず、サービスの提供に応じることなく通信を終了する。
フラグがＦ＝１であるので、以前に違法にコピー機器を作った元のカラオケ制御部１か、またはその複製の違不正カラオケ制御部１であるからである。
違法なコピー機器とともに元のカラオケ制御部１も使用不能にしてしまう。
【００２４】
乱數発生器２４を自然数発生に固定し、１回だけ１を発生し、加算器２５を使用した場合を以下に説明する。
まず、正当なカラオケ制御部１が、初期登録時に識別番号ＩＤ：０００１をデータベース局２から受信する。
次に、正当なカラオケ制御部１が、識別番号ＩＤ：０００１でデータベース局２にアクセスし、今度は加算器２５で＋１した識別番号ＩＤ：０００２を受信する。
【００２５】
ここでもし、正当なカラオケ制御部１が、識別番号ＩＤ：０００２を別の違法機器にコピーしたとする。不正なカラオケ制御部１が、識別番号ＩＤ：０００２でデータベース局２にアクセスし、今度は加算器２５で＋１した識別番号ＩＤ：０００３を受信する。次に、正当なカラオケ制御部１が、先の識別番号ＩＤ：０００２でデータベース局２にアクセスすると、識別番号ＩＤ：０００３となっているので不一致のために、サービスを停止する。ここでフラグをＦ＝１にするので、以前に違法にコピー機器を作った元のカラオケ制御部１と、またはその複製の違不正カラオケ制御部１も使用不能にしてしまう。
【図面の簡単な説明】
【図１】本発明の複合通信装置の全体ブロック回路図である。
【図２】本発明の複合通信装置の通信カラオケ装置のブロック回路図である。
【図３】本発明の複合通信装置の動作を説明するフローチャートである。
【符号の説明】
１  カラオケ制御部
２  データベース局
３  リモコン受光部
４  プログラムＲＯＭ
５、２３  ＣＰＵ
６  ＲＡＭ
７  ビデオＲＡＭ
８  ビデオデータプロセッサのＶＤＰ
９  フラッシュメモリ
１６  音声ＲＡＭ
１０  音声再生部
１１  リモートコントローラ
１３  通信モデム
１４  スピーカー
１５  ＣＲＴ
２０  レーザープレーヤー
２１  顧客ファイル
２２  サービスデータファイル
２４  乱數発生器
２５  加算器
２６  通信プログラムＲＯＭ
２７  モデム
【図１】
0003881745.tif 000002
【図２】
0003881745.tif 000003
【図３】
0003881745.tif 000004